(57)【要約】【課題】近年では、ＬＡＮやインターネット等の通信ネットワーク上のサーバ上での画像処理を実行する場合、撮影後の画像データのサーバへのアップロード、画像アップロード後の加工開始、画像加工後のダウンロードにユーザによる操作やデータの移動が必要だったため、時間がかかっていた。【解決手段】デジタルカメラやスマートフォンによる画像の入力から、サーバでの画像処理を経て、スマートフォンやパソコンなどの画像出力装置での画像の受信までを自動的に実行することによって、画像の入力から画像処理結果の表示およびユーザによる確認までの時間が短縮される。【選択図】図１
2018074553.tif 000002
【特許請求の範囲】
【請求項１】
画像入力装置及び画像出力装置と画像情報の通信が可能な通信ネットワーク上に置かれた画像処理装置からなる画像処理システムであって、前記画像入力装置は、画像の入力指示信号を発する入力信号発信手段と前記入力指示信号と同期して自動的に画像情報を取り込む画像入力手段と、前記画像の取り込み完了と同期して、または未送信の入力済画像情報の容量またはファイル数があらかじめ設定した閾値を超えた場合に、もしくはあらかじめ設定した時間間隔で前記の取り込んだ画像情報を通信ネットワーク上の画像処理装置に自動的に送信する、かつ前記画像入力手段のバックグラウンドで並列に実行され画像入力手段の妨げとならない画像送信手段を有し、前記画像処理装置は前記画像入力装置より送信された画像情報を受信する画像受信手段と、前記画像情報の受信と同期して、または未処理の受信済画像情報の容量またはファイル数があらかじめ設定した閾値を超えた場合に、もしくはあらかじめ設定した時間間隔で当該画像情報に対し画像処理を自動的に行う画像処理手段と、前記画像処理の終了と同期して、または未送信の画像処理結果の容量またはファイル数があらかじめ設定した閾値を超えた場合に、もしくはあらかじめ設定した時間間隔で当該画像処理結果を前記画像出力装置に自動的に送信する画像処理結果送信手段を有し、前記画像出力装置は、前記画像処理装置から送信された前記画像処理結果を受信する画像処理結果受信手段を有し、任意の出力操作によって、または前記画像処理結果の受信と同期して、または未出力の受信済画像処理結果の容量またはファイル数があらかじめ設定した閾値を超えた場合に、もしくはあらかじめ設定した時間間隔で当該画像処理結果を自動的に出力する画像処理結果出力手段を有することを特徴とする画像処理システム。
【請求項２】
前記画像入力装置と前記画像出装置に記載の要件を備えた画像入出力装置と画像処理装置からなる請求項１に記載の画像処理システム。
【発明の詳細な説明】
【技術分野】
【０００１】  本発明は、画像処理システムに関しデジタルカメラやスマートフォン等の画像入力装置とパソコンやスマートフォン等の画像出力装置とネットワーク上の画像処理装置を備える画像処理システムに関する。
【背景技術】
【０００２】  近年では、ＬＡＮやインターネット等の通信インフラが整備されており、通信ネットワーク上の処理能力の高いサーバに画像データを送信することで、画像の被写体の背景を切り抜く、または背景のみを任意の色や画像に変更することのできる高度な画像処理をバッチ処理で行うことも可能となっている。【０００３】  しかし、撮影後の画像データのサーバへのアップロード、画像アップロード後の加工開始、画像加工後のダウンロードと画像の表示・確認のいずれかまたは全てにおいてユーザの操作が必要であり、また処理の待ち時間が発生することもあり、業務用途において大量の画像を処理する場合には、作業性に優れないものであった。【０００４】  例えば、ＺｅｎＦｏｔｏｍａｔｉｃ（ｈｔｔｐ：／／ｗｗｗ．ｚｅｎｆｏｔｏｍａｔｉｃ．ｊｐ／）では、従来はデジタルカメラからＳＤカードなどの記憶媒体を取り出しパソコンに画像データを取り込む際の作業及び待ち時間が発生し、その後サーバに送信する際にも送信処理の待ち時間が発生していた。
また画像のアップロード後に画像の被写体の背景を切り抜く、または背景のみを任意の色や画像に変更する等の画像処理はユーザの開始操作によって開始されるため、画像の量が大量であれば、バッチ処理であっても画像処理の待ち時間が発生していた。
また画像処理後のダウンロードもユーザの操作によって開始され、画像のダウンロードを一括にできても、画像が大量であればダウンロードの待ち時間が発生していた。【０００５】  またスマートフォンで画像を撮影した場合も、撮影後に送信する画像データを選択した上でサーバに送信する作業が発生する、または一枚一枚送信するかどうかを明示的に許可する必用があり、業務用途で大量の画像を処理する場合にはその手間と時間が課題となっていた。
【発明が解決しようとする課題】
【０００６】  そこで、本発明では画像をサーバに送信して画像処理する場合に、画像の入力から画像処理結果の表示およびユーザによる確認までの時間を短縮することを課題とする。
【課題を解決するための手段】
【０００７】  以上の課題を解決するために、請求項１に記載の第一発明は、デジタルカメラやスマートフォンによる画像の入力から、サーバでの画像処理を経て、スマートフォンやパソコンなどの画像出力装置での画像の受信までを自動的に実行し、画像の被写体の背景を切り抜く、または背景のみを任意の色や画像に変更する等の画像処理画結果の表示までの時間を短縮することを特徴とする画像処理システムである。
【０００８】  また、請求項２に記載の第２発明は、請求項１の発明において、スマートフォンなどのように、カメラなどの画像入力装置と液晶ディスプレイなどの画像出力装置を一体化することで、画像の入力作業と画像処理結果の確認を同一の機器で行うことにより、画像の入力作業をしながらの画像処理結果の確認を簡便かつ短時間に行えることを特徴とした画像処理システムである。
【発明の効果】
【０００９】  第一発明、または第二発明、または第三発明によれば、デジタルカメラやスマートフォンによる画像の入力から、サーバでの画像処理を経て、スマートフォンやパソコンなどの画像出力装置での画像の受信までを自動的に実行するため、画像の入力から画像の被写体を認識し背景のみを任意の色や画像に変更する等の画像処理結果の表示およびユーザによる確認までの時間が従来よりも短縮される。
【図面の簡単な説明】
【００１０】
【図１】本発明の第１の実施形態である画像処理システムの概略構成を示すブロック図である
【図２】本発明の第２の実施形態である画像処理システムの概略構成を示すブロック図である
【発明を実施するための形態】
【００１１】  図１は、本発明の第１の実施形態である画像処理システムの概略構成を示すブロック図である。画像処理システムは、ＬＡＮやＷＡＮ、あるいは公衆回線網等の通信ネットワーク４上に配置された画像処理装置２とデジタルカメラやスマートフォンなどの画像入力装置１と、パソコンやスマートフォンなどの画像出力装置３から構成される。
【００１２】  画像入力装置１は、ユーザが画像の画像入力信号を発する入力信号発信部１１と画像入力信号と同期して画像情報を入力する画像入力部１２と入力した画像情報を画像入力装置１外部に送信するための画像送信部１３から構成される。
【００１３】  画像処理装置２は、画像処理装置２の外部から画像情報を受信する画像受信部２２と、受信した画像情報の被写体の背景を切り抜く、または背景のみを任意の色や画像に変更する等の画像処を行う画像処理部２１と、画像処理結果を画像処理装置２の外部に送信する画像処理結果送信部２３から構成される。
【００１４】  画像出力装置３は、画像処理結果を含む画像情報を画像出力装置３の外部から受信する画像処理結果受信部３２と画像処理結果を含む画像情報を出力する画像処理結果出力部３３から構成される。
【００１５】  ユーザがデジタルカメラやスマートフォンなどの画像入力装置１のレリーズを切る、または撮影ボタンを押すなどして、入力信号発信部１１から発せられた画像入力指示信号と同期して、イメージセンサーなどの画像入力部１２が自動的に画像情報を入力し、画像情報の取り込み完了と同期して、または未送信の入力済画像情報の容量またはファイル数があらかじめ設定した閾値を超えた場合に、もしくはあらかじめ設定した時間間隔で入力した画像情報を通信ネットワーク４上の画像処理装置２に自動的に送信する。
かつ画像送信部１３からの画像送信は画像入力部１２による画像入力処理のバックグラウンドで並列に実行され、画像入力処理の妨げとならない。
【００１６】  画像処理装置２は画像入力装置１より送信された画像情報を画像受信部２２で受信するのと同期して、または未処理の受信済画像情報の容量またはファイル数があらかじめ設定した閾値を超えた場合に、もしくはあらかじめ設定した時間間隔で画像情報に対して、画像の被写体を認識し背景のみを任意の色や画像に変更する等の画像処理を画像処理部２１で自動的に実行する。
画像処理の終了と同期して、または未送信の画像処理結果の容量またはファイル数があらかじめ設定した閾値を超えた場合に、もしくはあらかじめ設定した時間間隔で当該画像処理結果を画像処理結果送信部２３から画像出力装置３に自動的に送信する。
【００１７】  パソコンやスマートフォンなどの画像出力装置３は、画像処理装置２から送信された画像処理結果を画像処理結果受信部３２で受信すると、ユーザの任意の出力操作によって、または画像処理結果の受信と同期して、または未出力の受信済画像処理結果の容量またはファイル数があらかじめ設定した閾値を超えた場合に、もしくはあらかじめ設定した時間間隔で自動的に、画像処理結果を液晶ディスプレイ等の画像処理結果出力部３３に出力する。
【００１８】  図２は、本発明の第２の実施形態である画像処理システムの概略構成を示すブロック図である。画像処理システムは、ＬＡＮやＷＡＮ、あるいは公衆回線網等の通信ネットワーク４上に配置された画像処理装置２とスマートフォンなどの画像入出力装置５から構成される。
【００１９】  画像入出力装置５は、第一の実施形態における画像入力装置１と画像出力装置３の要件を１つの装置が備えているものである。
【００２０】「実施形態の効果」
第一および第２の実施形態によれば、デジタルカメラやスマートフォンによる画像の入力から、サーバでの画像処理を経て、スマートフォンやパソコンなどの画像出力装置での画像の受信までを自動的に実行するため、画像の入力から画像の被写体を認識し背景のみを任意の色や画像に変更する等の画像処理結果の表示およびユーザによる確認までの時間が従来よりも短縮される。
そのため、画像処理を実行する画像が多ければ多いほど、ユーザの時間短縮効果は大きなものとなる。
【００２１】「他の実施形態」
例えば、デジタルカメラなどの画像入力装置１と通信ネットワーク上の画像処理装置２の間に、画像送信部１３から受信した画像を画像受信部２２に送信する際に、画像情報の通信を自動で中継するファイル自動転送ソフト等を備えたパソコンなどの通信経由装置があってもよい。
【符号の説明】
【００２２】１      画像入力装置
２      画像処理装置
３      画像出力装置
４      通信ネットワーク
５      画像入出力装置
１１    入力信号発信部
１２    画像入力部
１３    画像送信部
２１    画像処理部
２３    画像処理結果送信部
３２    画像処理結果受信部
３３    画像処理結果出力部
【図１】
2018074553.tif 000003
【図２】
2018074553.tif 000004